(57)【要約】【課題】液体試料のディスク面への付着や漏洩を防止することができ、試料注入時の作業性も良好な液体試料分析用ディスクを提供する。【解決手段】試料注入孔３から試料展開部たる内部流路４に試料９を注入して軸心廻りに回転させ、回転に伴って流路４で展開された試料９を光学的に走査し分析するための液体試料分析用ディスク１を構成するに際して、試料９を注入する試料注入具の先端部６を試料注入孔３に向けて案内するガイド孔７を形成したガイド部材８を着脱自在に設ける。試料注入具の先端部６をガイド孔７に挿入することで試料注入孔３の中心部へと確実に案内することができ、試料注入孔３の周囲のディスク面への試料付着を防止できる。【選択図】  図１
2004239743.tif 000002
【特許請求の範囲】
【請求項１】
試料注入孔から内部の試料展開部に液体試料を注入して軸心廻りに回転させ、回転に伴って前記試料展開部で展開された液体試料を光学的に走査し分析するための液体試料分析用ディスクであって、
前記液体試料を注入する試料注入具の先端部を前記試料注入孔に向けて案内するガイド孔を形成したガイド部材を着脱自在に設けた液体試料分析用ディスク。
【請求項２】
ガイド孔を、試料注入孔に対向する一端開口がそれに背反する他端開口よりも小さいテーパ状に形成した請求項１に記載の液体試料分析用ディスク。
【請求項３】
ガイド孔を、試料注入具のコーン状の先端部の適当位置に外嵌する内径にて形成した請求項１に記載の液体試料分析用ディスク。
【請求項４】
試料注入孔に対向するガイド孔の一端開口を試料注入孔よりも小さく形成した請求項１に記載の液体試料分析用ディスク。
【請求項５】
試料注入孔に対向するガイド孔の一端開口を囲む筒状突起をガイド部材に形成した請求項１に記載の液体試料分析用ディスク。
【請求項６】
筒状突起の先端部外径を試料注入孔よりも小さく形成した請求項５に記載の液体試料分析用ディスク。
【請求項７】
ガイド部材をディスク収納ケースの蓋体で構成した請求項１に記載の液体試料分析用ディスク。
【請求項８】
ガイド孔を開閉するカバー部材をガイド部材に設けた請求項１に記載の液体試料分析用ディスク。
【請求項９】
カバー部材を、ディスク収納ケースの蓋体に設けた支点を中心にディスク面に平行な方向に回動自在に形成した請求項８に記載の液体試料分析用ディスク。
【請求項１０】
カバー部材とディスク収納ケースの蓋体とにそれぞれ、カバー部材を回動させて試料注入孔を封止した時に互いに係合し、逆方向へのカバー部材の回動を抑止する係合部を設けた請求項９に記載の液体試料分析用ディスク。
【請求項１１】
試料注入孔を封止するための粘着性シール部材をディスク収納ケースの蓋体との間に折り畳み状態もしくは巻き取り状態にて収納し、このシール部材に一体に設けた取っ手部をディスク収納ケースの外部に延出した請求項７に記載の液体試料分析用ディスク。
【請求項１２】
取っ手部を、シール部材を裏打ちする剥離紙で構成した請求項１１に記載の液体試料分析用ディスク。
【請求項１３】
展開されたシール部材をディスク面に押圧するローラ部材を前記取っ手部に連動連結した請求項１１に記載の液体試料分析用ディスク。
【請求項１４】
取っ手部をディスク収納ケースの外部に延出するための開口をケース本体と蓋体との重なり部に形成した請求項１１に記載の液体試料分析用ディスク。
【請求項１５】
試料注入孔から内部の試料展開部に液体試料を注入して軸心廻りに回転させ、回転に伴って前記試料展開部で展開された液体試料を光学的に走査し分析するための液体試料分析用ディスクであって、
前記試料注入孔を封止する封止部材を、前記試料注入孔が開口したディスク面に形成した溝部に契合してスライド自在に設けた液体試料分析用ディスク。
【請求項１６】
封止部材と溝部とに、封止部材がスライドして試料注入孔を封止した時に互いに係合し、封止部材の逆方向へのスライドを抑止する係合部を設けた請求項１５に記載の液体試料分析用ディスク。
【請求項１７】
試料注入孔から内部の試料展開部に液体試料を注入して軸心廻りに回転させ、回転に伴って前記試料展開部で展開された液体試料を光学的に走査し分析するための液体試料分析用ディスクであって、
剥離紙が貼付された粘着性シール部材を所定位置に仮止めしたシール仮止め部材を脱着自在に設けた液体試料分析用ディスク。
【請求項１８】
シール仮止め部材の一部または全体を弾性材料で構成した請求項１７に記載の液体試料分析用ディスク。
【請求項１９】
複数の試料注入孔それぞれの近傍に互いに異なる第１の識別用マークを付し、前記複数の試料注入孔それぞれに対応する複数のシール部材、もしくはその剥離紙、もしくはその近傍のシール仮止め部材にそれぞれ、前記第１の識別用マークに対応する第２の識別用マークを付した請求項１７に記載の液体試料分析用ディスク。
【請求項２０】
シール仮止め部材を、ディスク収納ケース内に設けたヒンジ部を支点に回動自在に設けた請求項１７に記載の液体試料分析用ディスク。
【請求項２１】
シール仮止め部材をディスク収納ケースの蓋体で構成した請求項２０に記載の液体試料分析用ディスク。
【発明の詳細な説明】
【０００１】
【発明の属する技術分野】
本発明は、表面に開口した試料注入孔から内部の試料展開部に液体試料を注入して軸心廻りに回転させ、回転に伴って前記試料展開部で展開された液体試料を光学的に走査し分析するための液体試料分析用ディスクに関し、特に、試料注入時の作業性と安全性とを確保できる液体試料分析用ディスクに関する。
【０００２】
【従来の技術】
従来、ディスク上で試料を展開させて定性・定量分析を行う分析装置が提案されており、血液等の試料を分析することで病気の診断などを行うことが可能になっている。
【０００３】
図１６に示すように、この種の分析装置で使用される試料分析用ディスク３２０は、従来の光ディスクと同様のトラック（図示せず）を刻み、試料注入孔３２５およびそれに連通する試料展開部３２２を内部に設けていて、試料注入後にディスク３２０を回転させ、ＣＤ−ＲＯＭ装置等の光ディスク装置で使用されているフォーカス、トラッキング技術を用いてトラックにフォーカス、トラッキングすることで、試料展開部３２２内で展開された試料を同時に読み取るようにしている（例えば特許文献１参照）。
【０００４】
しかし分析対象となる試料は、感染性の病原体を含む可能性がある血液などの生体試料である場合が多く、分析時に試料がディスク３２０から漏洩して飛散したり、漏洩した試料に作業者が触れてしまう恐れがあり、それにより作業者が病原体に感染してしまうという事故が想定される。このため、試料注入後の試料注入孔３２５にシール部材（図示せず）を手作業で貼付することで、試料の漏洩を防止している。
【０００５】
【特許文献１】
ＷＯ００／０２６６７７号公報
【０００６】
【発明が解決しようとする課題】
しかしながら、シール部材を手作業で貼付することは、作業性が悪いだけでなく、貼付位置もずれやすいため試料注入孔３２５の封止が不確実となり、また試料注入時に試料注入孔３２５の周囲に試料が付着した時には、この試料にシール部材の貼付作業時に触れてしまう恐れがある。しかるに、特にディスク３２０の厚みが小さい場合に、試料注入孔３２５の深さ寸法を大きく取れず、試料注入具の先端が試料注入孔３２５からずれて周囲に試料が付着する危険性が大きく、極めて慎重な作業が必要であった。
【０００７】
本発明は上記問題点を解決するもので、液体試料のディスク面への付着や漏洩を防止することができ、試料注入時の作業性も良好な液体試料分析用ディスクを提供するものである。
【０００８】
【課題を解決するための手段】
上記課題を解決するために、請求項１に記載の発明は、試料注入孔から内部の試料展開部に液体試料を注入して軸心廻りに回転させ、回転に伴って前記試料展開部で展開された液体試料を光学的に走査し分析するための液体試料分析用ディスクであって、前記液体試料を注入する試料注入具の先端部を前記試料注入孔に向けて案内するガイド孔を形成したガイド部材を着脱自在に設けたことを特徴とするもので、試料注入具の先端部をガイド孔に挿入することで試料注入孔の中心部へと確実に案内することができ、試料注入孔の周囲のディスク面への試料付着を防止できる。
【０００９】
請求項２に記載の発明は、請求項１に記載の液体試料分析用ディスクにおいて、ガイド孔を、試料注入孔に対向する一端開口がそれに背反する他端開口よりも小さいテーパ状に形成したことを特徴とするもので、試料注入具のコーン状の先端部をガイド孔の内面に沿って試料注入孔の中心部へと容易にかつ確実に案内できる。
【００１０】
請求項３に記載の発明は、請求項１に記載の液体試料分析用ディスクにおいて、ガイド孔を、試料注入具の先端部の適当位置に外嵌する内径にて形成したことを特徴とするもので、試料注入具のコーン状の先端部の挿入深さをガイド孔で規制して、最先端部をガイド部材の下面と試料注入孔の底部との中間に配置することができ、試料注入孔の底部への接触を防止できる。
【００１１】
請求項４に記載の発明は、請求項１に記載の液体試料分析用ディスクにおいて、試料注入孔に対向するガイド孔の一端開口を試料注入孔よりも小さく形成したことを特徴とするもので、試料注入具の先端部を試料注入孔の中心部へと容易にかつ確実に案内できる。
【００１２】
請求項５に記載の発明は、請求項１に記載の液体試料分析用ディスクにおいて、試料注入孔に対向するガイド孔の一端開口を囲む筒状突起をガイド部材に形成したことを特徴とするもので、試料注入具の最先端部から吐出した試料が万一ガイド孔の内面に付着しても、筒状突起を越えて外周側へ広がることはなく、付着範囲を最小限にとどめることができる。
【００１３】
請求項６に記載の発明は、請求項５に記載の液体試料分析用ディスクにおいて、筒状突起の先端部外径を試料注入孔よりも小さく形成したことを特徴とするもので、ガイド孔の内面に付着した試料が万一滴下する場合も、筒状突起の下端から滴下することになるため、試料注入孔の内部に収容することができ、試料注入孔の周囲のディスク面への付着を防止できる。
【００１４】
請求項７に記載の発明は、請求項１に記載の液体試料分析用ディスクにおいて、ガイド部材をディスク収納ケースの蓋体で構成したことを特徴とするもので、蓋体を閉じた状態でガイド孔，試料注入孔を通じて試料を注入し、注入終了後に、蓋体を開き、試料注入孔を封止したうえで、ディスクを取り出すことができる。通常は用いられるディスク収納ケースの蓋体でガイド部材を構成しているので、部品点数を抑えることができるとともに、当然に必要なディスク取り出し動作に伴ってガイド部材（蓋体）を分離することができ、ガイド部材の取り外し手間が不要となる。
【００１５】
請求項８に記載の発明は、請求項１に記載の液体試料分析用ディスクにおいて、ガイド孔を開閉するカバー部材をガイド部材に設けたことを特徴とするもので、試料注入具の最先端部から吐出した試料が万一ガイド孔の内面に付着しても、試料注入後にはカバー部材で覆われることになり、この試料に作業者が触れることを防止できる。
【００１６】
請求項９に記載の発明は、請求項８に記載の液体試料分析用ディスクにおいて、カバー部材を、ディスク収納ケースの蓋体に設けた支点を中心にディスク面に平行な方向に回動自在に形成したことを特徴とするもので、カバー部材の開閉動作のために特別な空間を要さない。
【００１７】
請求項１０に記載の発明は、請求項９に記載の液体試料分析用ディスクにおいて、カバー部材とディスク収納ケースの蓋体とにそれぞれ、カバー部材を回動させて試料注入孔を封止した時に互いに係合し、逆方向へのカバー部材の回動を抑止する係合部を設けたことを特徴とするもので、試料注入後に誤ってカバー部材が開くことがなく、作業者が試料に触れることを防止できる。
【００１８】
請求項１１に記載の発明は、請求項７に記載の液体試料分析用ディスクにおいて、試料注入孔を封止するための粘着性シール部材をディスク収納ケースの蓋体との間に折り畳み状態もしくは巻き取り状態にて収納し、このシール部材に一体に設けた取っ手部をディスク収納ケースの外部に延出したことを特徴とするもので、試料注入完了後に取っ手部を引くことにより、シール部材を展開させて試料注入孔を含むディスク面に貼付することができる。よって、蓋体を開動させてディスクを取り出す作業者の試料への接触を防止できる。
【００１９】
請求項１２に記載の発明は、請求項１１に記載の液体試料分析用ディスクにおいて、取っ手部を、シール部材を裏打ちする剥離紙で構成したことを特徴とするもので、取っ手部を引くことにより、シール部材をスムーズに展開させて試料注入孔を含むディスク面に貼付することができ、作業性を向上できる。
【００２０】
請求項１３に記載の発明は、請求項１１に記載の液体試料分析用ディスクにおいて、展開されたシール部材をディスク面に押圧するローラ部材を前記取っ手部に連動連結したことを特徴とするもので、取っ手部を引くことにより、シール部材を展開させつつ、あるいはシール部材を展開し終わった後に、ローラ部材を動作させてシール部材を押圧することができ、シール部材をより確実にディスク面に貼付できる。
【００２１】
請求項１４に記載の発明は、請求項１１に記載の液体試料分析用ディスクにおいて、取っ手部をディスク収納ケースの外部に延出するための開口をケース本体と蓋体との重なり部に形成したことを特徴とするもので、取っ手部を開口から抜き去った後にはじめて、言い換えれば、試料注入後にシール部材による試料注入孔の封止が完了した後にはじめて、蓋体を開動することが可能になる。よって、試料注入孔の封止が完了していない時に誤って蓋体を開くことはなく、作業者が試料に触れることを防止できる。
【００２２】
請求項１５に記載の発明は、試料注入孔から内部の試料展開部に液体試料を注入して軸心廻りに回転させ、回転に伴って前記試料展開部で展開された液体試料を光学的に走査し分析するための液体試料分析用ディスクであって、前記試料注入孔を封止する封止部材を、前記試料注入孔が開口したディスク面に形成した溝部に契合してスライド自在に設けたことを特徴とするもので、試料注入を終了した試料注入孔を封止部材によって個別に速やかに封止することができ、作業者が試料に触れることを防止できる。
【００２３】
請求項１６に記載の発明は、請求項１５に記載の液体試料分析用ディスクにおいて、封止部材と溝部とに、封止部材がスライドして試料注入孔を封止した時に互いに係合し、封止部材の逆方向へのスライドを抑止する係合部を設けたことを特徴とするもので、誤って封止部材をスライドさせて試料注入後の試料注入孔を開放することを防止できる。
【００２４】
請求項１７に記載の発明は、試料注入孔から内部の試料展開部に液体試料を注入して軸心廻りに回転させ、回転に伴って前記試料展開部で展開された液体試料を光学的に走査し分析するための液体試料分析用ディスクであって、剥離紙が貼付された粘着性シール部材を所定位置に仮止めしたシール仮止め部材を脱着自在に設けたことを特徴とするもので、シール仮止め部材を、剥離紙をディスク面に向けて位置決め配置するとともに、試料注入された試料注入孔に対応するシール部材の剥離紙を剥離し、そのうえでディスク面に押し当てるという動作で、複数個の試料注入孔を独立して速やかに封止することができる。
【００２５】
請求項１８に記載の発明は、請求項１７に記載の液体試料分析用ディスクにおいて、シール仮止め部材の一部または全体を弾性材料で形成したことを特徴とするもので、シール部材を押し当てて貼付する際の押圧力を均一化することができ、より確実に封止できる。
【００２６】
請求項１９に記載の発明は、請求項１７に記載の液体試料分析用ディスクにおいて、複数の試料注入孔それぞれの近傍に互いに異なる第１の識別用マークを付し、前記複数の試料注入孔それぞれに対応する複数のシール部材、もしくはその剥離紙、もしくはその近傍のシール仮止め部材にそれぞれ、前記第１の識別用マークに対応する第２の識別用マークを付したことを特徴とするもので、試料注入孔とシール部材との対応を目視にて容易に識別することができ、剥離紙を剥がすときの間違いを防止できる。
【００２７】
請求項２０に記載の発明は、請求項１７に記載の液体試料分析用ディスクにおいて、シール仮止め部材を、ディスク収納ケース内に設けたヒンジ部を支点に回動自在に設けたことを特徴とするもので、シール仮止め部材は既に位置決め配置した状態にあるので、試料注入された試料注入孔に対応するシール部材の剥離紙を剥離し、ヒンジ部を支点に回動させるという動作で、複数個の試料注入孔を独立して速やかに封止することができる。
【００２８】
請求項２１に記載の発明は、請求項２０に記載の液体試料分析用ディスクにおいて、シール仮止め部材をディスク収納ケースの蓋体で構成したことを特徴とするもので、試料注入された試料注入孔に対応するシール部材の剥離紙を剥離し、蓋体を閉動させるという動作で、複数個の試料注入孔を独立して速やかに封止することができる。
【００２９】
【発明の実施の形態】
以下、本発明の実施の形態について図面を参照しながら説明する。
（実施の形態１）
図１は、本発明の実施の形態１における液体試料分析用ディスクの一部拡大縦断面、図２は同液体試料分析用ディスクの分解斜視図である。この液体試料分析用ディスクは請求項１に記載の発明に対応している。
【００３０】
図１〜図２において、ディスク１は、先に図１６を用いて説明した従来のものと概ね同様の構成を有しており、中心穴２の周りに、表面で開口した複数の試料注入口３と、各試料注入口３にそれぞれ連通して内部でディスク半径方向に延びた流路４とを備えている。
【００３１】
このディスク１は、第１の基板（ディスク基板）１０１と第２の基板（ディスク接着層）１０２と第３の基板（ディスクカバー）１０３とを積層して貼り合わせた３層構造となっている。
【００３２】
第１の基板１０１は流路４の底面を構成するものであり、光学的に一様の屈折率を有するようにポリカーボネイトやガラスで製作されている。第２の基板１０２は流路４の外形形状に相応する穴部を有するものであり、ＰＥＴフィルム等を基材とし両面に接着材（剤）を配して製作されている。
【００３３】
第３の基板１０３は流路４の天面を構成するものであり、試料注入口３が内周部に厚み方向に貫通して形成されている。この第３の基板１０３には、図示を省略するが、従来のフォーカス検出技術、例えば非点収差法やナイフエッジ法などの方式で光ビームを検出すべく、金、銀、アルミニウムなどの反射膜が設けられるとともに、光ビームを微小な一定間隔で走査するための渦巻き状あるいは同心円状の溝が形成されている。
【００３４】
各流路４には、仮想線で示したように、試薬５が塗布などによって配置されることもある。この試薬は、血液，尿等の生体試料やその他の液体試料に含まれる検査対象成分と反応して（酵素反応や免疫反応などを含む）、光学特性（透過率・色など）が変化し、それより検査対象成分の有無や濃度、あるいは検査対象物の数量などとして測定分析可能なものが選ばれる。分析内容によっては（たとえば血球数の計測）予め試料に添加されたり不要な場合もあリ、それに用いる場合には試薬は配置されない。分析領域に適度の液体試料を保持するために流路４の内面に親水処理が施されることもある。
【００３５】
このディスク１が従来のものと相違するのは、液体試料を注入する試料注入具の先端部６を試料注入孔３に向けて案内するために、ガイド孔７が形成された樹脂などよりなるガイド部材８が着脱自在に設けられた点である。
【００３６】
ガイド部材８は、円筒体の一端にガイド孔７を貫設した円環状の鍔部８ａを形成し、円筒体の他端外周にディスク内周縁部に嵌合する段部８ｂを形成したものであり、前記段部８ｂをディスク内周縁部に嵌合させて周方向に位置決めした時に、ガイド孔７の中心（軸心）が試料注入孔３の中心（軸心）に略一致し、かつ鍔部８ａがディスク面との間に幾分かの間隙を形成するように設計されている。またガイド孔７は、試料注入具のコーン状の先端部６の適当位置（最先端近傍位置）に外嵌する内径に設定されている。
【００３７】
このようなディスク１に対して試料注入する時には、試料注入具の先端部６をガイド部材８のガイド孔７に挿入し、試料注入具のピストン部（図示せず）を押下することにより、液体試料９（以下、試料９という）を試料注入孔３を通じてディスク内部に注入する。
【００３８】
その際に、試料注入具の先端部６をガイド孔７に挿入することで、試料注入孔３自体の深さに関わらず試料注入孔３の中心部へと確実に案内することができ、試料注入孔３の周囲のディスク面への試料９の付着を防止できる。
【００３９】
なおその際に、試料注入具の先端部６にガイド孔７が外嵌して挿入深さを規制し、最先端部をガイド部材８（鍔部８ａ）の下面と試料注入孔３の底部（基板１０１の内面）との中間に配置することになり、試料注入孔３の底部への接触を防止できる。
【００４０】
試料注入が終了したら、ディスク１からガイド部材８を分離し、手作業等でシール部材（図示せず）を貼付して試料注入孔３を封止する。分離したガイド部材８は廃棄する。
【００４１】
したがって、試料注入後の分析作業中にディスク１内の試料９が漏洩することがないのは当然ながら、万一試料注入時に試料注入具の先端部６がガイド孔７からずれてガイド部材８の表面に試料９が付着した場合も、飛散する恐れはない。
【００４２】
これらの結果、作業者が試料に接触することをほぼ確実に回避することができ、作業者の感染事故を防止できる。
図３は分析装置の斜視図である。この分析装置はいわゆる光ディスク装置と同様の構成を有していて、ディスク１を回転させるためのスピンドルモータ１０、ディスク１を走査し試料の情報を読み取るための光ピックアップ１１、光ピックアップ１１をディスク１の半径方向に移動させるための送りモータ１２、送りねじ１３などを備えており、図示を省略したＣＰＵ（中央制御装置）によって、予め設定されたプログラム通りに動作される。
【００４３】
分析の手順としては、ディスク１をスピンドルモータ１０に装着し、ディスク内周縁部をクランパ（図示せず）で挟持し、しかる後にスピンドルモータ１１により回転させて、その際の遠心力によって、試料注入孔３に注入された試料９を流路４内で展開させる。流路４途中に試薬５が設けられている場合には、その試薬５と反応させ、反応終了させる。
【００４４】
そして、ディスク１を回転させながら、光ピックアップ１１を用いて流路４内の試料９もしくは試薬５の領域に光ビームを照射して、その反射光もしくは透過光を検出し、その検出信号を基に、図示を省略した試料分析装置本体に備わる解析部で画像処理的に分析する。つまり、回転に同期して各位置の試料９および／または試薬５の情報を光学的に読み取り、定性・定量分析するのである。
【００４５】
なお、この実施の形態１では、３層構造をとるディスク１について説明したが、基板の貼り合わせ構造や、試料注入孔３，流路４の数、向きなどは、これに限定されるものではない。
（実施の形態２）
図４は本発明の実施の形態２における液体試料分析用ディスクの一部拡大縦断面図である。この液体試料分析用ディスクは請求項２、３、４の記載に対応している。
【００４６】
この液体試料分析用ディスクは実施の形態１のものとほぼ同様の構成を有しているが、ガイド部材８のガイド孔７の形状が相違している。
ガイド部材８のガイド孔７は、試料注入孔３に背反する一端開口よりも試料注入孔３に対向する他端開口の径が小さいテーパ状に形成されるとともに、この他端開口が試料注入具のコーン状の先端部６の先端径よりも若干大きい適切な径、かつ、試料注入孔３よりも小さい径を持つように形成されている。
【００４７】
このため、試料注入具の先端部６をガイド孔７に挿入した時に、互いのテーパ状・コーン状の内面外面形状により、またガイド孔７の他端開口が試料注入孔３よりも小さい径を持つことにより、前記先端部６を試料注入孔３の中心部に向けて容易かつ確実に案内することができる。
【００４８】
またその際に、試料注入具の先端部６にガイド孔７が外嵌して、試料注入具の最先端部をガイド部材８（鍔部８ａ）の下面と試料注入孔３の底部（基板１０１の内面）との中間に配置することになり、試料注入孔３の底部への接触を防止できる。
【００４９】
したがって、試料注入具の最先端部から吐出された試料９が、ガイド部材８のガイド孔７の周囲や、試料注入孔３の周囲のディスク面や、試料注入具の先端部６の外周に付着することを防止できる。
【００５０】
よって、上記した実施の形態１に記載の液体試料分析用ディスクに比べて、作業者が試料９に接触すること、それによる感染事故、の危険性を更に低減することができる。
（実施の形態３）
図５は本発明の実施の形態３における液体試料分析用ディスクの一部拡大縦断面図である。この液体試料分析用ディスクは請求項５、請求項６の記載に対応している。
【００５１】
この液体試料分析用ディスクは実施の形態１のものとほぼ同様の構成を有しているが、ガイド部材８に、ガイド孔７を囲む筒状突起８ｃが鍔部８ａの下面に形成されている点が相違している。この筒状突起８ｃの先端部外径は試料注入孔３の径よりも小さく設定されている。
【００５２】
このため、万一試料注入具の先端部６から吐出された試料９がガイド孔７の内面に付着しても、筒状突起８ｃを越えて外周側へ広がることはなく、付着範囲を最小限にとどめることができる。また、ガイド孔７の内面に付着した試料９が万一滴下する場合も、試料注入孔３よりも外径の小さい筒状突起８ｃの先端部から落下して試料注入孔３の内部に収容されることになり、ディスク面に付着することを防止できる。
【００５３】
よって、上記した実施の形態１に記載の液体試料分析用ディスクに比べて、作業者が試料９に接触すること、それによる感染事故、の危険性を更に低減することができる。
（実施の形態４）
図６は本発明の実施の形態４における液体試料分析用ディスクの一部拡大縦断面図である。この液体試料分析用ディスクは請求項５、請求項６の記載に対応している。
【００５４】
この液体試料分析用ディスクは実施の形態１のものとほぼ同様の構成を有しているが、実施の形態１で説明したガイド部材８がディスク収納ケース１４の蓋体１５で構成された点が異なる。
【００５５】
ディスク収納ケース１４は樹脂などよりなり、ディスク１をその中心穴２にて位置決め保持する凹状のケース本体１６を、このケース本体１６の一側に設けられたヒンジ部１７を支点に回動する平板状の蓋体１５で開閉するように構成されており、この蓋体１５における試料注入孔３に対応する部分にガイド孔７が形成されている。
【００５６】
この構成において、試料注入時には、蓋体１５を閉じた状態で、試料注入具の先端部６をガイド孔７によりディスク１の試料注入孔３の中心部に案内して、試料９を注入する。試料注入の完了後に、蓋体１５を図示したａ方向に回動させて開き、ディスク１の試料注入孔３を封止した後、ディスク１を取り出すことになる。
【００５７】
よって、上記した実施の形態１に記載の液体試料分析用ディスクと同様に、作業者が試料９に接触すること、それによる感染事故、の危険性を低減することができる。
【００５８】
また、従来より用いられているディスク収納ケース１４の蓋体１５でガイド部材を構成したので、部品点数を抑えることができるとともに、当然に必要なディスク１の取り出し動作に伴って蓋体１５（ガイド部材）を分離することができ、実施の形態１に記載の液体試料分析用ディスクに比べて、ガイド部材の着脱の手間が不要な分、作業手順を簡略化可能である。
（実施の形態５）
図７は本発明の実施の形態５における液体試料分析用ディスクの一部拡大縦断面図である。この液体試料分析用ディスクは請求項８、９、１０の記載に対応している。
【００５９】
この液体試料分析用ディスクは実施の形態４のものとほぼ同様の構成を有しているが、蓋体１５に、ガイド孔７を開閉するカバー部材１８が設けられた点が異なる。
【００６０】
カバー部材１８は樹脂などよりなり、ほぼ円板状で、蓋体１５に形成された中心穴１５ａに軸心廻りに回転可能に嵌入する筒状部を有するとともに、ガイド孔７への試料注入具の先端部６の出入を阻害しない大きさの開口部１８ａを有している。
【００６１】
カバー部材１８のディスク対向面は周縁部のみディスク面に密着し、その間はディスク面との間に間隙を形成する凹凸形状である。カバー部材１８の筒状部の外周部と蓋体１５の中心穴１５ａを囲む内周部との所定位置には、周方向において互いに噛み合う爪部１８ｂ，１５ｂが設けられている。
【００６２】
この構成において、試料注入時には、図７（ａ）に示すように、カバー部材１８の開口部１８ａをガイド孔７に対向配置した状態で、試料注入具の先端部６を開口部１８ａ、ガイド孔７に挿入して、前記ガイド孔７により試料注入孔３の中心部に案内して、試料９を注入する。試料注入の完了後に、図７（ｂ）に示すように、ガイド部材１８を軸心廻りに回動させることにより、ガイド部材１８の非開口部でガイド孔７を閉じる。
【００６３】
その際には、カバー部材１８はディスク面に平行な方向に回動するだけなので、開閉動作のための特別な空間は要さない。また、カバー部材１８がガイド孔７を閉じる位置まで回動した時点で爪部１８ｂ，１５ｂが噛み合い、カバー部材１８の逆方向への回転は抑止される。
【００６４】
したがって、試料注入時に試料注入具の先端部６から吐出した試料９が万一ガイド部材８のガイド孔７の周囲に付着しても、試料注入後にはカバー部材１８で覆われることになり、また誤ってカバー部材１８が開くこともないので、作業者が試料９に触れることを防止できる。
【００６５】
なお、カバー部材１８の形状は上記したような円板状に限定されず、筒状部から半径方向に放射状に延出したものなど、種々可能である。
（実施の形態６）
図８は本発明の実施の形態６における液体試料分析用ディスクの縦断面図である。この液体試料分析用ディスクは請求項１１の記載に対応している。
【００６６】
この液体試料分析用ディスクは実施の形態４のものとほぼ同様の構成を有しているが、試料注入孔３を封止するためのシール部材２０が蓋体１５とディスク１との間に折り畳み状態（もしくは巻き取り状態）にて収納されている点で異なる。
【００６７】
シール部材２０は、防水加工した紙・ポリエチレンシートなどに粘着材を施したもので、複数の試料注入孔３が開口するディスク中央領域を覆い得る円形に形成され、ディスク中央領域におけるヒンジ部１７寄り部分に一端部において固着され、この固着部に背反する他端部に帯状の取っ手部２１が取り付けられている。取っ手部２１は、柔軟かつ所定の強度を備えた紙・ポリエチレンシートなどの材料で形成され、その端部はヒンジ部１７に背反する蓋体１５の側部に形成された開口部１５ｃの外部まで延出されている。
【００６８】
この構成において、試料注入時には、図８（ａ）に示すように、シール部材２０を折り畳んだ状態で（もしくは巻き取った状態で）、試料注入具の先端部６をガイド孔７により試料注入孔３の中心部に案内して、試料９を注入する。
【００６９】
試料注入が完了したら、図８（ｂ）に示すように、取っ手部２１を図示したｂ方向に引っ張ることにより、シール部材２０を展開させつつディスク中央領域に貼付して試料注入孔３を封止し、図６（ｃ）に示すように、さらに引っ張ることでシール部材２０から分離する取っ手部２１を開口部１５ｃの外部へ抜き取る。その後に、蓋体１５を開動させてディスク１を取り出す。
【００７０】
したがって、作業者は試料に触れることなく作業することができ、安全性を確保できる。
（実施の形態７）
図９は本発明の実施の形態７における液体試料分析用ディスクの縦断面図である。この液体試料分析用ディスクは請求項１２の記載に対応している。
【００７１】
この液体試料分析用ディスクは、実施の形態６のものと同様の構成を有しているが、試料注入孔３を封止するために蓋体１５とディスク１との間に収納されているシール部材２０のほぼ全面を覆うように、剥離紙よりなる取っ手部２１Ａが設けられた点が異なる。
【００７２】
この液体試料分析用ディスクでも、実施の形態６の液体試料分析用ディスクと同様に、図９（ａ）に示すように、シール部材２０を折り畳んだ状態で試料９を注入し、図９（ｂ）に示すように、試料注入の完了後に取っ手部２１Ａを引っ張ることでシール部材２０を展開させて試料注入孔３を封止し、図９（ｃ）に示すように、取っ手部２１Ａを開口部１５ｃの外部へ抜き取ることになる。
【００７３】
ただしその際に、取っ手部２１Ａが剥離紙よりなるため、取っ手部２１Ａをスムーズに剥離しながらシール部材２０を展開させることができる。
よって、実施の形態６の液体試料分析用ディスクではシール部材２０の粘着面どうしが付着している（図６（ａ）参照）のに比べて、作業性が向上する。
（実施の形態８）
図１０は本発明の実施の形態８における液体試料分析用ディスクの縦断面図である。この液体試料分析用ディスクは請求項１３の記載に対応している。
【００７４】
この液体試料分析用ディスクは、実施の形態６のものと同様に、試料注入孔３を封止するためのシール部材２０が蓋体１５とディスク面との間に折り畳み状態（もしくは巻き取り状態）にて収納されている。ただし、展開されたシール部材２０をディスク面に押圧するための、ゴムなどよりなるローラ部材２２が取っ手部２１に連動連結されている。
【００７５】
この液体試料分析用ディスクでも、実施の形態６の液体試料分析用ディスクと同様に、図１０（ａ）に示すように、シール部材２０を折り畳んだ状態（もしくは巻き取り状態）で試料９を注入し、図１０（ｂ）に示すように、試料注入の完了後に取っ手部２１を引っ張ることでシール部材２０を展開させて試料注入孔３を封止し、図１０（ｄ）に示すように、取っ手部２１を開口部１５ｃの外部へ抜き取ることになる。
【００７６】
ただしその際に、取っ手部２１が引っ張られるにしたがって、図１０（ｃ）に示すようにローラ部材２２が転動し、展開されたシール部材２０をディスク面に押圧する。
【００７７】
よって、実施の形態６の液体試料分析用ディスクに比べて、シール部材２０を自動的に、より確実に貼付することができ、作業性も向上する。
（実施の形態９）
図１１は本発明の実施の形態９における液体試料分析用ディスクの縦断面図である。この液体試料分析用ディスクは請求項１４の記載に対応している。
【００７８】
この液体試料分析用ディスクは、実施の形態６のものと同様に、試料注入孔３を封止するためのシール部材２０が蓋体１５とディスク面との間に折り畳み状態（もしくは巻き取り状態）にて収納されている。ただし、蓋体１５が、少なくともヒンジ部１７に背反する側部においてケース本体１６に重なるように形成され、この蓋体１５とケース本体１６の重なり部分に形成された開口部１５ｃ，１６ａから取っ手部２１が延出されている。
【００７９】
この液体試料分析用ディスクでも、実施の形態６の液体試料分析用ディスクと同様に、図１１（ａ）に示すように、シール部材２０を折り畳んだ状態（もしくは巻き取り状態）で試料９を注入し、図１１（ｂ）に示すように、試料注入の完了後に取っ手部２１を引っ張ることでシール部材２０を展開させて試料注入孔３を封止し、図１１（ｃ）に示すように、取っ手部２１を開口部１５ｃ，１６ａの外部へ抜き取ることになる。
【００８０】
しかしこの液体試料分析用ディスクでは、取っ手部２１を開口部１５ｃ，１６ａの外部へ抜き出してはじめて、言い換えれば、試料注入孔３の封止が完了してはじめて、蓋体１５を開動することが可能になり、封止が完了していない時に誤って蓋体１５を開くことはない。
【００８１】
よって、実施の形態６の液体試料分析用ディスクに比べて、作業者が試料９に触れることをより確実に防止できる。
（実施の形態１０）
図１２は本発明の実施の形態１０における液体試料分析用ディスクの斜視図、図１３は同液体試料分析用ディスクの分解斜視図である。この液体試料分析用ディスクは請求項１５、１６の記載に対応している。
【００８２】
この液体試料分析用ディスクは、実施の形態１のものとほぼ同様の構成を有しているが、複数の試料注入孔３をそれぞれ封止するための複数の封止部材２３が設けられている点が異なる。
【００８３】
ディスク１には、試料注入孔３，流路４どうしの間に、ディスク周方向に沿う溝部１０２ａ，１０３ａが形成されている。封止部材２３は、ポリアセタールなどの摺動性のよい樹脂よりなり、概ね平板状で、ディスク周方向に沿って彎曲し、ディスク１の溝部１０２ａ，１０３ａに係合する凸部２３ａを下面に有していて、試料注入孔３を開放する位置と閉塞する位置とにわたってスライド可能となっている。
【００８４】
封止部材２３および溝部１０３ａには、封止部材２３が試料注入孔３を閉塞する位置までスライドした時に互いに噛み合い、封止部材２３の逆方向へのスライドを抑止する爪部２３ｂ，１０３ｂが形成されている。
【００８５】
このため、試料注入を終了した試料注入孔３を、封止部材２３をスライドさせるだけで個別に速やかに封止することができ、試料注入孔３を封止した時点で爪部２３ｂ，１０３ｂが噛み合うため、封止部材２３を誤ってスライドさせて試料注入孔３を開放してしまうこともない。
【００８６】
よって、試料注入孔３の周囲に付着した試料９に作業者が触れること、試料注入孔３からの試料９の漏洩をより確実に防止できる。
なお、封止部材２３，溝部１０２ａ，１０３ａの形状やスライド方向などはこれに限定されず、変更可能である。
（実施の形態１１）
図１４（ａ）は本発明の実施の形態１１における液体試料分析用ディスクの断面図であり、図１４（ｂ）は同液体試料分析用ディスクのシール仮止め部材の外観図である。この液体試料分析用ディスクは請求項１７、１８の記載に対応している。
【００８７】
この液体試料分析用ディスクは、実施の形態１のものとほぼ同様の構成を有しているが、複数の試料注入孔３をそれぞれ封止するための複数のシール部材２４を仮止めしたシール仮止め部材２５を脱着自在に設けている点が異なっている。
【００８８】
シール仮止め部材２５は樹脂などよりなり、ほぼ円板状で、ディスク１と同一径の中心穴２５ａが形成されるとともに、ディスク１の試料注入孔３に対応する所定位置にディスク面に沿う方向の平坦面を持った凸部２５ｂが形成されており、この平坦面に粘着性シール部材２４がその背面において仮止めされている。シール部材２４は防水加工した紙・ポリエチレンシートなどに粘着材を施したもので、粘着面には剥離紙２６が貼付されている。
【００８９】
シール仮止め部材２５の凸部２５ｂ（シール仮止め部材２５の全体でもよい）はスポンジ状弾性材料あるいはゴムなど弾性材料で形成されている。シール仮止め部材２５の内周縁部には位置決め用の凹部２５ｃが形成されている。
【００９０】
この構成において、図示したように、ディスク１をディスク台２７の中央の凸部２７ａに嵌合設置しておき、任意の試料注入孔３から試料注入する。
試料注入を終了したら、ディスク仮止め部材２５を凹部２５ｃによりディスク面に対して位置合わせして、ディスク台２７の中央の凸部２７ａに嵌合させ、試料注入済みの試料注入孔３に対応する剥離紙２６を剥がしたうえで、ディスク１上に載せて押圧する。このことにより、試料注入済みの試料注入孔３（実際にはその周囲領域のディスク面）のみシール部材２４を貼付して封止することができる。
【００９１】
その際に、シール仮止め部材２５の凸部２５ｂが弾性材料よりなるため、シール部材２４を貼付する際の押圧力を均一化することができ、試料注入孔３を確実に封止できる。
【００９２】
よって、各試料注入孔３を独立して速やかに確実に、かつ試料注入孔３の周囲に試料が付着している場合も触れることなく、封止できる。
（実施の形態１２）
図１５は本発明の実施の形態１２における液体試料分析用ディスクの斜視図である。この液体試料分析用ディスクは請求項１９〜２１の記載に対応している。
【００９３】
この液体試料分析用ディスクは、実施の形態１１のものとほぼ同様の構成を有しているが、ディスク収納ケース１４内部に設けたヒンジ部１７を支点に回動する蓋体１５にシール仮止め部材２５を一体に形成した点が異なる。
【００９４】
ディスク１における各試料注入孔３の近傍にそれぞれ異なる第１の識別用マーク（ここでは数字）が付され、各試料注入孔３に対応するシール部材２４の剥離紙２６（シール部材２４自体もしくはその近傍のシール仮止め部材２５上でもよい）にそれぞれ、第１の識別マークに対応する第２の識別マーク（同様に数字）が付されている。
【００９５】
この構成において、ディスク収納ケース１４の蓋体１５を開き、ケース内のディスク１に任意の試料注入孔３から試料注入する。
試料注入を終了したら、第１の識別マーク、第２の識別マークで確認して、試料注入済みの試料注入孔３に対応する剥離紙２６を剥がし、蓋体１５をヒンジ部１７を支点に閉動させる。このことにより、試料注入済みの試料注入孔３（実際にはその周囲領域のディスク面）にのみシール部材２４を貼付することができる。
【００９６】
その際に、シール仮止め部材２５を蓋体１５に一体化したことで、簡素な構造のシール機構を実現することができ、蓋体１５を閉動させるだけで位置決めせずに試料注入孔を封止できる。また第１の識別マーク、第２の識別マークによって、試料注入孔３とシール部材２４との対応を目視にて容易に識別することができ、剥離紙２６を剥がすときの間違いを防止できる。
【００９７】
よって、各試料注入孔３を独立して速やかに、かつ試料注入孔３の周囲に試料が付着している場合も触れることなく、封止できる。
なお、シール仮止め部材２５を蓋体１５とは別体に、たとえば内蓋のように設けて、ディスク収納ケース１４内部に設けたヒンジ部１７を支点に回動する構造とすることも可能である。
【００９８】
【発明の効果】
以上のように本発明によれば、液体試料分析用ディスクを、試料注入具の先端部を試料注入孔に向けて案内するガイド孔を形成したガイド部材、前記ガイド孔を開閉するカバー部材、前記試料注入孔を封止するシール部材の内の少なくとも１つを配置して構成したため、感染性の病原体が含まれる可能性がある液体試料をディスクに注入するときの作業性を向上できるとともに、試料がディスク外に漏洩したりディスク外面に付着することを防止することができ、作業者が試料に触れることなく安全に分析作業することが可能となる。
【図面の簡単な説明】
【図１】本発明の実施の形態１における液体試料分析用ディスクの一部拡大縦断面図
【図２】図１の液体試料分析用ディスクの分解斜視図
【図３】液体試料分析用ディスクを用いる従来よりある分析装置の斜視図
【図４】本発明の実施の形態２における液体試料分析用ディスクの一部拡大縦断面図
【図５】本発明の実施の形態３における液体試料分析用ディスクの一部拡大縦断面図
【図６】本発明の実施の形態４における液体試料分析用ディスクの一部拡大縦断面図
【図７】本発明の実施の形態５における液体試料分析用ディスクの一部拡大縦断面図
【図８】本発明の実施の形態６における液体試料分析用ディスクの縦断面図
【図９】本発明の実施の形態７における液体試料分析用ディスクの縦断面図
【図１０】本発明の実施の形態８における液体試料分析用ディスクの縦断面図
【図１１】本発明の実施の形態９における液体試料分析用ディスクの縦断面図
【図１２】本発明の実施の形態１０における液体試料分析用ディスクの斜視図
【図１３】図１２の液体試料分析用ディスクの分解斜視図
【図１４】本発明の実施の形態１１における液体試料分析用ディスクの（ａ）断面図、（ｂ）同液体試料分析用ディスクのシール仮止め部材の外観図
【図１５】本発明の実施の形態１２における液体試料分析用ディスクの斜視図
【図１６】従来の液体試料分析用ディスクの縦断面図
【符号の説明】
１    ディスク
３    試料注入孔
４    流路
６    試料注入具の先端部
８    ガイド部材
８ｃ    突起
７    ガイド孔
９    試料
１４    ディスク収納ケース
１５    蓋体
１５ｂ  爪部
１６    ケース本体
１７    ヒンジ部
１８    カバー部材
１８ｂ  爪部
２０    シール部材
２１    取っ手部
２２    ローラ部材
２３    封止部材
２４    シール部材
２５    シール仮止め部材
２６    剥離紙
【図１】
2004239743.tif 000003
【図２】
2004239743.tif 000004
【図３】
2004239743.tif 000005
【図４】
2004239743.tif 000006
【図５】
2004239743.tif 000007
【図６】
2004239743.tif 000008
【図７】
2004239743.tif 000009
【図８】
2004239743.tif 000010
【図９】
2004239743.tif 000011
【図１０】
2004239743.tif 000012
【図１１】
2004239743.tif 000013
【図１２】
2004239743.tif 000014
【図１３】
2004239743.tif 000015
【図１４】
2004239743.tif 000016
【図１５】
2004239743.tif 000017
【図１６】
2004239743.tif 000018